(57)【特許請求の範囲】
【請求項１】
撮像レンズ鏡筒を構成する固定筒に対して、第１の方向に回転可能なように、第１支持板部で回転軸部品により軸着されたＡＦユニット取付座と、
前記ＡＦユニット取付座を回転させるよう、前記固定筒と前記第１支持板部の一側面との間に配置された第１方向調整手段と、
前記第１支持板部の一側面に形成された第２支持板部の基端部側に突設された回転軸用ボスに、第１側板部の軸穴が挿通されて軸着され当該第２支持板部に対して第２の方向に回転可能なように軸着されたホルダーであって、ＡＦセンサーを保持するＡＦユニットホルダーと、
前記第１側板部に形成された第２側板部と前記第２支持板部との間に配置され、前記第１方向調整手段と同一方向から操作することにより、前記ＡＦユニットホルダーの姿勢を前記第２の方向に回転させる第２方向調整手段とを有することを特徴とする撮像装置。
【請求項２】
前記第１方向調整手段と、前記第２方向調整手段とを、長穴と偏芯ピンとを用いた、偏芯カム機構で構成したことを特徴とする請求項１記載の撮像装置。
【請求項３】
前記第１方向調整手段、及び前記第２方向調整手段における前記偏芯ピンの回転軸と、前記回転軸部品、及び前記回転軸用ボスの回転中心軸とが、同一平面上に配設されるように構成されていることを特徴とする請求項２記載の撮像装置。
【請求項４】
前記ＡＦセンサーに対して、前記第１側板部の軸穴の方が前記第２方向調整手段よりも接近して配置されると共に、
前記ＡＦセンサーに対して、前記回転軸部品の方が前記第１方向調整手段よりも接近して配置されるように構成したことを特徴とする請求項１乃至３の何れか１項に記載の撮像装置。
【発明の詳細な説明】
【技術分野】
【０００１】
本発明は、撮像装置にＡＦセンサーを位置決めして固定するための位置調整機構に関する。
【背景技術】
【０００２】
従来、撮像光学系の外側にＡＦセンサーユニットを設置し、カメラから被写体までの距離を測定するように構成された撮像装置の開発が進んでいる。
【０００３】
このように用いられるＡＦセンサーユニットには、例えば、２個のレンズと２個の測距用撮像素子を用い、三角測距の原理で測定するパッシブＡＦ方式を採用したものが有る。
【０００４】
このようなＡＦセンサーユニットは、２対の光学系の向きを、特定の距離の被写体に対して、その像中心と撮像される像を一致させるように撮像レンズの光軸方向へ所定角度傾けて撮像装置に固定する必要がある。このため、ＡＦセンサーユニットを撮像装置本体に取り付ける際には、高精度で位置決めして固定する、いわゆるパララックス調整を行って取り付けるのが普通である。
【０００５】
以下、従来のＡＦセンサーユニットをパララックス調整を行って撮像装置に取り付ける方法について、パッシブＡＦ方式のＡＦセンサーユニットをビデオカメラに固定する場合を例にとって、図４及び図５を参照しながら説明する。
【０００６】
図４及び図５で、１００１は、ＡＦセンサーユニットであり、２対のレンズとＡＦセンサー（ＡＦ用撮像素子）を備える。このＡＦセンサーユニット１００１には、内蔵するＡＦセンサーから電気信号を所定の電気回路に接続するため、ユニット本体から引き出されたフレキシブル基板１００９を備える。
【０００７】
また、ビデオカメラのレンズユニット１００４には、ＡＦセンサーユニット１００１を抱えるようにして保持するためのＡＦセンサーホルダー１００２が、ＡＦセンサーホルダー固定ネジ１００３によって締結されている。
【０００８】
このＡＦセンサーユニット１００１には、２個の調整穴１０１０が穿設されている。このＡＦセンサーユニット１００１の底部には、ＡＦセンサーユニット１００１の底に形成された凹部（図指せず）に嵌合して姿勢調整時の突き当て部とするための突き当てボス１００８が突設されている。
【０００９】
このＡＦセンサーユニット１００１は、専用調整工具から出ている先端テーパー状の調整工具ピン１００５を用いて調整方向（Ｘ，Ｙ）１００７に動かすパララックス調整を行う。そして、パララックス調整されたＡＦセンサーユニット１００１は、ＡＦセンサーホルダー１００２に対してＵＶ硬化接着剤（２箇所）１００６で貼着して固定される。
【００１０】
次に、ＡＦセンサーユニット１００１をパララックス調整する方法について説明する。
【００１１】
このパララックス調整を行う場合には、まず、ＡＦセンサーホルダー１００２上にＡＦセンサーユニット１００１を載置する。このとき、ＡＦセンサーユニット１００１は、その底に形成された凹部（図指せず）に、ＡＦセンサーホルダー１００２の突き当てボス１００８が挿入されて、ピポット軸受けで支受された如く、姿勢変化可能な状態にセットされる。
【００１２】
この状態で、ＡＦセンサーユニット１００１には、専用調整工具から出ている調整工具ピン１００５が２個の調整穴１００１に挿入され、所定の下方向荷重が加えられる。
【００１３】
なお、図示しないが、調整工具ピン１００５は、専用調整工具における所定のつまみを回すことにより調整方向（Ｘ，Ｙ）１００７に回動可能な機構となっている。
【００１４】
ＡＦセンサーユニット１００１は、専用調整工具における所定のつまみを回す操作によって動作する調整工具ピン１００５によって、突き当てボス１００８を中心に回動されて位置調整される。
【００１５】
なお、ＡＦセンサーユニット１００１の取り付け位置を調整するときの所定角度の測定方法は、例えばレンズから所定距離位置にチャートを置き、ＡＦセンサーの出力波形から測定する方法が一般的である。
【００１６】
このようにして専用調整工具を利用しＡＦセンサーユニット１００１を所定の角度に調整した後、図示する２箇所にＵＶ硬化接着剤１００６を塗布し、ＵＶ光を一定時間照射してＵＶ硬化接着剤１００６を固めた後、調整工具ピン１００５を抜き取る。
【００１７】
上述のようにして、レンズユニット１００４のＡＦセンサーホルダー１００２には、ＡＦセンサーユニット１００１が所要の姿勢に位置決めして固定される。
【先行技術文献】
【特許文献】
【００１８】
【特許文献１】特開２００１−２０８５３６号公報
【発明の概要】
【発明が解決しようとする課題】
【００１９】
しかしながら、上述した方法でパララックス調整を行う場合には、以下のような問題があった。このようなパララックス調整を行う場合には、調整工具ピン１００５を２個の調整穴１０１０に挿入して所定の下方向荷重を加えたときに、ＡＦセンサーユニット１００１が、ＡＦセンサーホルダー１００２と一体的に下方向にたわんでしまう。
【００２０】
このため、パララックス調整後（調整工具ピン１００５を離した後）に調整工具ピン１００５の荷重が解除されると、ＡＦセンサーホルダー１００２等が弾性復帰してＡＦセンサーユニット１００１がパララックス測定で定めた位置から移動してしまう。
【００２１】
その結果、ＡＦセンサーユニット１００１は、パララックス調整された位置から移動するという誤差が生じるので、高精度で組み付けることが困難であるという問題がある。
【００２２】
また、ＡＦセンサーユニット１００１は、パララックス調整後にＵＶ硬化接着剤１００６で２箇所を固定する方式のため、接着硬化応力、温度変化、落下及び振動の影響を受けて、ＡＦセンサーユニット１００１の固定位置に誤差が生じる。よって、ＡＦセンサーユニット１００１を高精度で位置決めして固定することが困難であるという問題があった。
【００２３】
さらに、ＡＦセンサーユニット１００１をＵＶ硬化接着剤１００６で２箇所を固定する方式を用いた場合には、接着硬化時間がパララックス調整の作業工程に含まれることになるので、パララックス調整の作業工程に費やされる時間が長くなるという問題があった。
【００２４】
本発明の目的は、ＡＦセンサーユニットを、パララックス調整して装置本体に固定する作業を迅速に行え、かつ高精度でＡＦセンサーユニットを装置本体に取り付けられるようにした撮像装置を提供することにある。
【課題を解決するための手段】
【００２５】
上記目的を達成するために、本発明の撮像装置は、撮像レンズ鏡筒を構成する固定筒に対して、第１の方向に回転可能なように、第１支持板部で回転軸部品により軸着されたＡＦユニット取付座と、前記ＡＦユニット取付座を回転させるよう、前記固定筒と前記第１支持板部の一側面との間に配置された第１方向調整手段と、前記第１支持板部の一側面に形成された第２支持板部の基端部側に突設された回転軸用ボスに、第１側板部の軸穴が挿通されて軸着され当該第２支持板部に対して第２の方向に回転可能なように軸着されたホルダーであって、ＡＦセンサーを保持するＡＦユニットホルダーと、前記第１側板部に形成された第２側板部と前記第２支持板部との間に配置され、前記第１方向調整手段と同一方向から操作することにより、前記ＡＦユニットホルダーの姿勢を前記第２の方向に回転させる第２方向調整手段とを有することを特徴とする。
【発明の効果】
【００２６】
本発明によれば、ＡＦセンサーユニットを、パララックス調整して撮像装置の装置本体に固定する作業を迅速に行え、かつ高精度でＡＦセンサーユニットを撮像装置の装置本体に取り付けられるという効果がある。
【図面の簡単な説明】
【００２７】
【図１】本発明の実施の形態に係わる撮像装置の本体側にＡＦセンサーユニットを取り付けた部分を取り出して示す要部斜視図である。
【図２】（ａ）は、本発明の実施の形態に係わる撮像装置の本体側に締結されたＡＦセンサーユニットホルダーの部分を断面で示す要部断面図、（ｂ）は、本発明の実施の形態に係わる撮像装置の本体側にＡＦセンサーユニットホルダーを締結した部分を取り出し拡大して示す要部拡大断面図である。
【図３】本発明の実施の形態に係わる撮像装置の本体側に当たる撮影用のレンズユニットに取り付けられる、ＡＦセンサーユニットホルダー及びＡＦセンサーユニットを取り外した状態を示す分解斜視図である。
【図４】従来の撮影用のレンズユニットにＡＦセンサーユニットを取り付けた状態を示す斜視図である。
【図５】従来の撮影用のレンズユニットに設置されたＡＦセンサーユニットホルダーに取り付けられる、ＡＦセンサーユニットを取り外した状態を示す分解斜視図である。
【発明を実施するための形態】
【００２８】
以下、本発明の実施の形態について図１乃至図３を参照しながら説明する。
【００２９】
ＡＦセンサーユニットホルダー及びＡＦセンサーユニットが取り付けられた撮影用のレンズユニットを示す図１で、１はＡＦセンサーユニット、２は撮影用のレンズユニット、８はＡＦセンサーユニットホルダーである。
【００３０】
このＡＦセンサーユニット１は、図３に示すＡＦセンサーユニットホルダー８にメガネレンズ９が接着固定して組み付けられている。なお、これらメガネレンズ９とＡＦユニットホルダー８とは、それぞれ所定の精度で製作されているので、特に位置調整をせずに組み立てることができる。
【００３１】
このＡＦセンサーホルダー１２は、箱形形状の樹脂部品で、その所定位置にＡＦセンサー１０が接着固定して組み付けられている。この場合も、特に位置調整は不要である。
【００３２】
このＡＦセンサー１０は、フレキシブル基板１１に実装されている。なお、図示しないが、ＡＦセンサー１０付きフレキシブル基板１１は、カメラ本体の回路基板に接続される。
【００３３】
また、上述のようにＡＦセンサー１０が組み付けられたＡＦセンサーホルダー１２は、ピント調整用のＡＦセンサーワッシャー１３を介してＡＦセンサーホルダー１２に接着固定して組み付けられる。
【００３４】
この組み立てに当たっては、メガネレンズ９の光軸とＡＦセンサー１０の波形を出力して調整を行うのが一般的な方法である。このときピント調整用のＡＦセンサーワッシャー１３は、厚みの異なるものを数種類準備しておく。そして、良好なピントが得られるようにＡＦセンサー１０の波形を確認して厚みが選定されたＡＦセンサーワッシャー１３が組み付けてられて、ＡＦセンサーユニット１が完成される。
【００３５】
次に、ＡＦセンサーユニット１を、レンズユニット２（撮像レンズ鏡筒を構成する固定筒）へ固定する工程について説明する。
【００３６】
まず、ＡＦセンサーユニット１をＡＦユニット取付座１４に取りつける。
【００３７】
このため、ＡＦユニットホルダー８の軸穴８ｂにＡＦユニット取付座１４の回転軸用ボス１４ｃを挿入し、ワッシャー７を通した垂直方向回転軸固定ネジ６をねじ穴１４ｄに螺挿して、ＡＦユニット取付座１４にＡＦユニットホルダー８を締結する。
【００３８】
さらに、第２方向調整手段を構成するため、ＡＦユニット取付座１４にＡＦユニットホルダー８が締結された状態で、ＡＦユニットホルダー８から延出するように設けられた突片に穿設された長穴８ａには、垂直調整用偏芯ピン３を挿通する。そして、垂直調整用偏芯ピン３の先端部は、ＡＦユニット取付座１４に穿設された挿入穴１４ｅへ圧入する。
【００３９】
この垂直調整用偏芯ピン３と挿入穴１４ｅとは、軽圧入嵌合となるように構成されている。このように圧入された垂直調整用偏芯ピン３は、一度挿入穴１４ｅに差し込まれると容易に抜けることは無いが、回転方向に軽い力で回すことができる状態で挿入穴１４ｅに保持される。
【００４０】
次に、レンズユニット２における撮像レンズ鏡筒を構成する固定筒に、ＡＦユニット１が取り付けられたＡＦユニット取付座１４を取りつける工程について説明する。
【００４１】
このＡＦユニット取付座１４は、レンズユニット２の固定筒に対して、第１の方向ＸＺ平面上でのθ１で示す水平方向に回転可能なように、第１支持板部２４の一側面の中間位置で回転軸部品である水平方向回転軸固定ネジ５により軸着する。
【００４２】
このため図３に示すように、レンズユニット２の固定筒の上部に突設されたボス２ｂに、ＡＦユニット取付座１４の底部に配設された嵌合穴１４ｂを挿通させた状態で載置する。そして、ワッシャー７を通した回転軸部品である水平方向回転軸固定ネジ５を、嵌合穴１４ｂを通してレンズユニット２の固定筒のねじ穴２ｃへ螺挿して締結する。
【００４３】
さらに、第１方向調整手段を構成するため、ＡＦユニット取付座１４の底部の基端部に穿設した長穴１４ａに、水平調整用偏芯ピン４を挿通して、レンズユニット２に設けられた挿入穴２ａに圧入する。このとき水平調整用偏芯ピン４と挿入穴２ａは、軽圧入嵌合となっている。これにより水平調整用偏芯ピン４は、挿入穴２ａに一度差し込まれると容易に抜けることは無いが、回転方向は軽い力で回すことができる状態で保持されて、図１に示す組み立て状態となる。
【００４４】
次に、上述のような組み立て状態において、ＡＦセンサーユニットに対するパララックス調整を行う工程について説明する。
【００４５】
このＡＦセンサーユニットに対するパララックス調整では、まず、第１方向調整手段の水平調整用偏芯ピン４を回すことにより、ＡＦセンサーユニット１に対するＸＺ平面上でのθ１方向傾き（水平方向傾き）の調整を行う。
【００４６】
この第１方向調整手段を構成するための水平調整用偏芯ピン４は、偏芯ピン頭４ａ部の中心と、その下の軸部の中心とを所定量ずらして構成されている。このため作業者がドライバー等で水平調整用偏芯ピン４を回すと、水平調整用偏芯ピン４の頭４ａの部分は、ＡＦユニット取付座１４の第１方向調整手段を構成する長穴１４ａの側面に摺接しながらラジアル方向に押す。するとこれに連動して、ＡＦユニット取付座１４は、水平方向回転軸固定ネジ（回転軸部品）５を中心にしてθ１（第１の方向）だけ回転される。
【００４７】
次に、作業者は、第２方向調整手段を構成する垂直調整用偏芯ピン３を回転し、ＡＦセンサーユニット１におけるＹＺ平面上でのθ２方向傾き（第２の方向である垂直方向傾き）の調整を行う。このとき、第２方向調整手段を構成する垂直調整用偏芯ピン３は、偏芯ピン頭３ａ部の中心と下の軸の中心が所定量ずらした形状となっている。
【００４８】
また、垂直調整用偏芯ピン３の回転中心とＡＦユニットホルダー８が回転する回転中心とは、直交する方向となっている。さらに、図２（ｂ）に示すように垂直調整用偏芯ピン３の頭３ａの部分の断面形状は、楕円の曲線形状に構成されている。すなわち、垂直調整用偏芯ピン３の頭３ａの側面は、曲面形状に形成されている。このため垂直調整用偏芯ピン３を回転させると、この頭３ａの曲面に沿って長穴８ａの側面が摺動することになるので、調整時には、安定してＡＦユニット１を回転調整することができる。
【００４９】
よって、作業者は、ドライバー等で垂直調整用偏芯ピン３を回転させる。これにより垂直調整用偏芯ピン３の頭３ａの部分は、ＡＦユニットホルダー８の長穴８ａの側面を押して垂直方向回転軸固定ネジ６を中心にしてθ２だけ第２の方向に回転されてＡＦセンサーユニットの姿勢の調整が行われる。
【００５０】
最後に作業者は、垂直調整用偏心ピン３、水平調整用偏芯ピン４、水平方向回転軸固定ネジ５及び垂直方向回転軸固定ネジ６の頭に、ネジロック用接着剤を塗布して振動落下による回転ずれを防止し、調整作業を完了する。
【００５１】
要するに、この撮像装置では、ＡＦセンサーユニット１を、水平及び垂直（縦及び横）方向の姿勢を調整可能なように、レンズユニット２に装着する。
【００５２】
この撮像装置では、水平及び垂直（縦及び横）方向の姿勢を調整可能とするための構成として、水平調整用のＡＦユニット取付座１４と、垂直調整用のＡＦユニットホルダー８とを備える。
【００５３】
このＡＦユニット取付座１４は、水平調整用の手段を構成するための略小長板状の第１支持板部２４と、この第１支持板部２４の一端から直角に折曲して延出するように形成された略小矩形板状の第２支持板部２５とを備える。このＡＦユニット取付座１４は、第１支持板部２４と、その一側面から直立するように形成された第２支持板部２５とによって、全体が略Ｌ字状に形成されている。
【００５４】
このＡＦユニット取付座１４の第１支持板部２４の一側面には、その長手方向の略中央部に回転支持用の嵌合穴１４ｂを形成する。さらに、第１支持板部２４の自由端部（第２支持板部２５が無い端部）側に水平調整機構（第１方向調整手段）を構成するための長穴１４ａを穿設する。
【００５５】
このＡＦユニット取付座１４の第１支持板部２４は、その嵌合穴１４ｂに軸挿した回転軸部品である水平方向回転軸固定ネジ５によって、レンズユニット２に対して小角度回転可能に軸支される。
【００５６】
さらに、このＡＦユニット取付座１４の第１支持板部２４の長穴１４ａには、水平調整機構を構成するため、水平調整用偏芯ピン４を挿通して、その先端部をレンズユニット２の挿入穴２ａに軽圧入嵌合する。これにより、第１支持板部２４の長穴１４ａ内には、水平調整用偏芯ピン４の偏芯ピン頭４ａが、長穴１４ａに沿って摺動しながら回転可能に装着され、偏芯カム機構を構成することになる。
【００５７】
このように構成された水平調整用の偏芯カム機構では、水平調整用偏芯ピン４を回転操作すると、その回転軸から偏芯して形成された偏芯ピン頭４ａが長穴１４ａ内を摺動する。この動作に伴って水平調整用の偏芯カム機構では、偏芯ピン頭４ａの外周と長穴１４ａとの接触点の位置が、回転中心から離間し又は接近するリフト動作を行う。
【００５８】
この水平調整用の偏芯カム機構によるリフト動作に連動して、ＡＦユニット取付座１４の第１支持板部２４は、その嵌合穴１４ｂの周りで小角度回動して、その端部に設けた第２支持板部２５側の水平位置の調整が可能となる。
【００５９】
また、このＡＦユニット取付座１４の第２支持板部２５には、垂直調整用の手段を介してＡＦユニットホルダー８を装着する。
【００６０】
この垂直調整用の手段を構成するため、ＡＦユニット取付座１４の第２支持板部２５における基端部側（第１支持板部２４と折曲して接続する方の端部側）に軸支用の厚肉円筒状に形成された回転軸用ボス１４ｃを突設する。また、この回転軸用ボス１４ｃの中央部には、回転中心軸に沿ってねじ穴１４ｄを穿孔する。さらに、ＡＦユニット取付座１４の第２支持板部２５における自由端の端面部には、垂直調整用偏芯ピン３を挿着するための挿入穴１４ｅを穿孔する。
【００６１】
また、ＡＦユニット取付座１４の第２支持板部２５に垂直調整用の手段を介して装着されるＡＦユニットホルダー８は、ＡＦセンサーユニット１を装着する略矩形状の台座部分の一端部に、略Ｌ字状に形成された支持部材を配置して構成されている。
【００６２】
このＡＦユニットホルダー８の支持部材は、ＡＦユニット取付座１４の略小矩形板状の第２支持板部２５と重なるように配置される支受板部と、この支受板部の一端部から直角に折曲して第２支持板部２５の自由端の端面に臨む操作用板部とを備える。
【００６３】
このＡＦユニットホルダー８の支受板部には、操作用板部と反対側の端部に軸受用の軸穴８ｂを穿設する。
【００６４】
このＡＦユニットホルダー８の支受板部である第１側板部２８は、軸受用の軸穴８ｂに回転軸用ボス１４ｃを回転自由に挿通する。さらに、第１側板部２８は、この状態で、ワッシャー７を通した垂直方向回転軸固定ネジ６をねじ穴１４ｄに螺挿して、ＡＦユニット取付座１４に対しＡＦユニットホルダー８をボス１４ｃの回転中心軸の回りに回転自由に支受させる。これによりＡＦユニットホルダー８は、ＡＦユニット取付座１４の第２支持板部２５の基端部側に設けた回転軸用ボス１４ｃに小角度回転可能に軸支される。
【００６５】
このＡＦユニットホルダー８の支受板部である第１側板部２８から直角に折曲して延出する操作用板部である第２側板部２９には、垂直調整機構を構成するための長穴８ａを穿設する。
【００６６】
さらに、このＡＦユニットホルダー８の第２側板部２９の長穴８ａには、垂直調整機構を構成するため、垂直調整用偏芯ピン３を挿通して、その先端部をＡＦユニット取付座１４の第１支持板部２４に設けた挿入穴１４ｅに軽圧入嵌合する。これにより、長穴８ａ内には、垂直調整用偏芯ピン３の頭３ａが、長穴８ａに沿って摺動しながら回転可能に装着され、偏芯カム機構を構成することになる。
【００６７】
このように構成された垂直調整用の偏芯カム機構では、垂直調整用偏芯ピン３を回転操作すると、その回転軸から偏芯して形成された偏芯ピン頭３ａが長穴８ａ内を摺動する。この動作に伴って垂直調整用の偏芯カム機構では、偏芯ピン頭３ａの外周と長穴８ａとの接触点の位置が、回転中心軸から離間し又は接近するリフト動作を行う。
【００６８】
この水平調整用の偏芯カム機構によるリフト動作に連動して、ＡＦユニットホルダー８の支持部材の支受板部は、その軸受用の軸穴８ｂの周りで小角度回動して、これと一体に設けられたＡＦセンサーユニット１の垂直位置の調整が可能となる。
【００６９】
よって、このＡＦセンサーユニットの位置調整用の構造では、水平調整用偏芯ピン４を回転操作することにより、ＡＦユニット取付座１４及びＡＦユニットホルダー８を含むＡＦセンサーユニット１全体を回転させて水平方向の調整を行う。
【００７０】
また、このＡＦセンサーユニットの位置調整用の構造では、垂直調整用偏芯ピン３回転操作することにより、ＡＦユニットホルダー８を含むＡＦセンサーユニット１を回転させて垂直方向の調整を行うことができる。
【００７１】
上述したＡＦセンサーユニットの位置調整用の構造によれば、調整後ネジを回さない限りＡＦユニット位置は動かないので、ネジロック用接着剤塗布をしてから接着剤が固まるまで待つ必要が無く、作業工程に費やされる時間を増やすことは無い。
【００７２】
また図２（ａ）に示すように、このＡＦセンサーユニットの位置調整用の構造では、垂直調整用偏芯ピン３、水平調整用偏芯ピン４、水平方向回転軸固定ネジ５及び垂直方向回転軸固定ネジ６の各回転中心を、断面ＡＡ’の同一平面上に配設している。このように構成した場合には、パララックス調整機構の小型化が可能となる。また、このように構成した場合には、垂直調整・水平調整用のドライバー等の調整工具のスペースを小型化することも可能となる。
【００７３】
上述した撮影用のレンズユニットにＡＦセンサーユニットホルダーを介してＡＦセンサーユニットを位置調整して取り付ける構成によれば、以下の効果を得ることができる。この位置調整をして取り付ける構成では、水平方向調整機構と垂直方向調整機構を、偏心ピンの回転による調整機構で構成した。このように構成した場合には、接着剤で貼着した場合と比較して、接着硬化応力を無くせると同時に、温度変化、落下又は振動によるＡＦユニットの位置ずれを少なくでき、組み立て工程におけるＵＶ照射接着の時間も削減できる。すなわち、調整時の荷重は剛性の高いＡＦユニットの取付座と固定筒にかかるため、調整時の撓みが少なく、高精度のＡＦユニット位置調整が可能となる。また、偏芯ピンによる調整構造を用いた場合には、ＵＶ硬化接着材による固定手段と比較してＡＦユニットの位置変化を生じないようにできる。
【００７４】
また、この位置調整をして取り付ける構成では、各々の偏芯ピンの回転軸方向を同一方向に構成することにより、一方向からドライバー等を用いて調整作業をすることができる。さらに、この位置調整をして取り付ける構成では、各々の偏芯ピンの回転軸方向を同一方向に構成したので、調整のための穴やカバー割りが一方向に限定されることになり、この部分を覆うカバーを、簡単なカバー割りで対応することが可能となる。
【００７５】
この位置調整をして取り付ける構成では、ＡＦセンサー側寄りに水平調整と、垂直調整との回転中心を配設する。これと共に、この構成では、偏芯ピンを、ＡＦセンサーと水平調整と垂直調整との回転中心から外側に配設している。これにより、この構成では、重量物であるＡＦセンサーの近傍が固定されることとなり、振動や落下時の外力で位置ずれを起こしにくい強い構成となる。さらに、この構成では、水平調整と垂直調整との各々の回転中心と、偏芯ピンの回転中心との間隔を調整感度に対応した構成にすることができる。要するに、偏芯ピンを回す調整感度をＡＦユニット、ＡＦユニット取付座の回転中心と、偏芯ピンとの間隔を調整することで過度に大型化することなく最適にすることが可能となる。さらに、この構成によれば、組み立て作業時にドライバー等の調整工具同士が干渉しないスペースを確保することも可能となる。また、偏芯ピン頭の断面を曲線断面とすることで偏芯ピンの回転中心と回転移動させるＡＦユニットの回転軸中心が直交していても引っかかり無くスムーズに偏芯ピンの回転動作に連動してＡＦユニットが調整可能となる。
【００７６】
なお、上述した実施の形態では、垂直方向調整機構における調整方向回転軸に対して、偏芯ピンの回転軸方向を直交させる構成について説明したが、水平方向調整機構に対して、この構成を適用しても良い。また、上述した実施の形態では、偏芯ピンの頭の側面を曲面とした構成について説明したが、これとは逆に、偏芯ピンの頭の側面を平面とし、偏芯ピンの頭と摺接するＡＦユニットホルダーの側面を曲面に形成しても良い。
【符号の説明】
【００７７】
１  ＡＦセンサーユニット
２  レンズユニット
３  垂直調整用偏芯ピン
４  水平調整用偏芯ピン
５  水平方向回転軸固定ネジ
６  垂直方向回転軸固定ネジ
８  ＡＦユニットホルダー
１０  ＡＦセンサー
１２  ＡＦセンサーホルダー
１４  ＡＦユニット取付座
【図１】
0005430386.tif 000002
【図２】
0005430386.tif 000003
【図３】
0005430386.tif 000004
【図４】
0005430386.tif 000005
【図５】
0005430386.tif 000006